(57)【要約】【課題】乗物や工作機械、あるいは、被介護者の移送等の事故を最小限に防止するためには、走行中の自動車や船舶の走行速度や工作機械の回転数、更には、室内状態を離れた場所の他人から確認できる必要がある。設備費及び消費電力等の多額の出費を抑え、乗物の走行速度や被介護者移送等の車内状態等を色別に表示できる色別表示装置を提供する。【解決手段】本発明の色別表示装置１は、回転数及び速度数を段階別に色分し、室内状態を表示する装置であって、電圧切替部２とコンピュ−タＡ３ａと照明表示部７及び回転体１０等からの電気的連結からなり、前記電圧切替部２は、電圧を選択する開閉部４の開閉器５と連結し、開閉部４は、色種をコンピュ−タＡ３ａが選択する複数個の開閉器５とからなり、前記照明表示部７は複数個の照明手段６と表示パネル８からなる。前記回転体１０及び各種入力１１と連結するコンピュ−タＡ３ａにより色別に表示する装置である。【選択図】    図１
2005156949.tif 000002
【特許請求の範囲】
【請求項１】
走行体の速度や室内状態又は走行状態を色分けして表示する色別表示装置であって、該装置は、電圧切替部と、前記走行体の速度や室内状態又は走行状態に対応する切替信号を前記電圧切替部に送信指令するコンピュ−タと、該コンピュ−タ及び前記電圧切替部の電源と、文字及び又は図柄を表示する照明表示部とからなることを特徴とする色別表示装置。
【請求項２】
前記コンピュ−タは、走行体の速度や室内状態、又は、走行状態を数値化し、その数値デ−タに応じて複数の開閉器の何れかを選択して回路の開閉指令を発信する機能を有するものからなることを特徴とする請求項１の色別表示装置。
【請求項３】
照明表示部は、表示パネルと該表示パネルの近傍に配置される複数の照明手段とからなり、前記照明手段は、１個中に複数の発光体を包含するものからなり、前記発光体は、前記開閉器に連結されていることを特徴とする請求項１又は請求項２に記載の色別表示装置。
【発明の詳細な説明】
【技術分野】
【０００１】
本発明は、自動車、電車、航空機、船舶、又は、風力発電、工作機械、風速計等、その他回転体を持つ機器の回転数並びに速度、及び、室内状態を色別に表示する色別表示装置に関する。
【背景技術】
【０００２】
乗物等の走行速度や工作機械等の回転数を表示する方法として、従来型のメ−タ−と呼ばれている速度計、又は、デジタル表示により数値化して表示されている。特に、走行速度については、自動車及び船舶等を運転する者には明解に確認できても、運転者以外の者には確認することは容易ではなく、唯一明解な方法としては、走行速度が１００キロメ−トルを超える自動車の場合であり、走行速度は、運転者以外の者が走行速度や室内状態を認識するには、特殊な測定機又は経験と感によるか、あるいは、追跡して測定しているのが現状である。現在、これ等に関する文献を挙げると、スピ−ドメ−タ−の色別表示装置を公知技術として「特許文献１」があり、色別速度表示方法を公知技術として「特許文献２」があり、自動車スピ−ドの色別確認方法として「特許文献３」があり、ＬＥＤによる情報提供装置を公知技術として「特許文献４」がある。
【特許文献１】特開昭５５−１４４５５１号公報（全頁）
【特許文献２】特開昭５９−１９２１１１号公報（全頁）
【特許文献３】特開昭６０−３３０５２号公報（全頁）
【特許文献４】特開２００２−２０２７４１号公報（全頁）
【０００３】
特開昭５５−１４４５５１号公報の「スピ−ドメ−タ−の色別表示装置」は、永久磁石を用いて自動車のスピ−ドを感知し、その情報により表示灯を色別し、スピ−ドメ−タ−に点灯するもので、運転者のみが確認する装置であり、本発明の他人が確認できる色別表示装置とは異なる。特開昭５９−１９２１１１号公報の「色別表示装置」は、道路の車線等を色別に表示する方法であり、他人から車線の確認はできるが自動車の走行速度を他人が認識することはできない。特開昭６０−３３０５２号公報の「自動車のスピ−ドの色別確認方法」は、自動車のスピ−ドにより色別に表示され、運転者がスピ−ドメ−タ−を随時確認しなくても、点灯した色により運転者が走行速度を確認しながら自動車を運転するという方法である。特開２００２−２０２７４１号公報の「ＬＥＤによる情報提供装置」は、自動車の走行速度をスピ−ドメ−タ−のみに頼らず、第１の手段としてＬＥＤの点灯により情報提供をし、第２の表示手段としてＬＥＤの点滅により情報提供を行う、という方法を用いて運転者に走行速度を知らせるという方法であるが、前記何れの方法に於いても本発明の他人が確認できる色別表示装置とは異なる。
【発明の開示】
【発明が解決しようとする課題】
【０００４】
自動車及び船舶等の乗物には走行速度を表す方法として速度計があり、風速には風速計が、また、工作機械等の回転数を表示するには回転計が備えられている。しかし、運転あるいは操作する者には、走行速度や回転数を知ることができても、離れた場所の他人から走行速度や回転数、あるいは、室内状態を知ることは困難であり、走行中の自動車や船舶等の走行速度、及び、車内の状態を離れた場所の他人から確認できるならば、運転者自身も安全運転の意識が高まり、かなりの数の交通等の事故を防止することができる表示装置が必要である。
【０００５】
本発明は、以上の要請に鑑みて発明されたものであり、高額な費用を伴うことがなく、自動車や船舶等の乗物又は工作機械等回転体を運転や操作する者、あるいは、乗車している者の安全を確保でき、併わせて、被介護者や周囲の人達の安全の確保と意識を向上できる色別表示装置を提供することを目的とする。
【課題を解決するための手段】
【０００６】
本発明は、以上の目的を達成するために、請求項１の発明は、走行体の速度や室内状態、又は、走行状態を色分けして表示する色別表示装置であって、該装置は、電圧切替部と、前記走行体の速度や走行状態に対応する切替信号を前記電圧切替部に送信指令するコンピュ−タと、該コンピュ−タ及び前記電圧切替部の電源と、文字及び又は図柄を表示する照明表示部とからなることを特徴とする。自動車又はその他の回転体ににおいて本発明の色別表示装置を活用する場合は、電源を当該機器のバッテリ−とし、自動車の場合、電圧切替部及びコンピュ−タを座席の下等の空間部分に配置し、ナンバ−プレ−トには走行速度毎に色別された照明の照射を行うよう配線で結合し、リヤウインド又はフロントウインド等には、例えば、「被介護者移送中」「被介護者乗車中」「速度遵守」等をアクリル板等を主とした表示パネルに内部描画（特開２００３−２５０６２３号に詳述）をし、エンジンル−ム、あるいは、速度計からの速度信号や車内に於いて被介護者を同乗している等の用件を信号化してコンピュ−タに入力し、コンピュ−タは、入力された内容の解析により予想される速度等を段階的に分類し、電圧切替部を経て照明表示部の近傍に配置する照明手段により表示パネルに表示するものである。更に、ブレ−キやストップの状態のときは点灯のままとしても、事故、事件、故障のときは、点滅を加味すること等により段階を細分化し、微細ではないが他人が現在の走行速度や室内状態を離れた位置に於いても知ることができるのである。
【０００７】
また、請求項２の発明に於いて、前記コンピュ−タは、走行体の速度や室内状態、又は、走行状態を数値化し、その数値デ−タに応じて複数の開閉器の何れかを選択して回路の開閉指令を発信する機能を有するものからなることを特徴とする。現在市販されている自動車に於いて、走行状態を示す速度計の殆どは、デジタル化されきており走行速度を数値化することは容易である。数値化された信号をコンピュ−タ及び開閉部に接続し、解析して何れか１個の開閉器を閉じると、照明表示部に設置されている、例えば、緑、黄、赤色の何れか１色が点灯することになり、紫を点灯したい場合は赤と緑の２個の、開閉器を閉じるとよく、開閉部は、色種を変えて点灯する照明手段（ＬＥＤ）に対して、電圧切替部に於いてコンピュ−タからの指令に従い色種を選沢し、色種の合成により更なる色種を得ることができる。例えば、４０  ／ｈ以下は白色、６０  ／ｈ以下を緑、８０  ／ｈ以下を黄、１００  ／ｈ以下を赤、１２０  ／ｈ以下を紫のように、段階別に表示パネルに照明を色別に照射でき、また、前記の如く、事故、故障、事件の際は、車内のリヤウインド、あるいは、フロントウインドの表示パネル、及び、ナンバ−プレ−トの照明を赤で切替の早い点滅で、周囲の人達に知らせるのである。
【０００８】
また、請求項３の発明に於いて、照明表示部は、表示パネルと該表示パネルの近傍に配置される複数の照明手段からなり、前記照明手段は、１個中に複数の発光体を包含するも．のからなり、前記発光体は、前記開閉器に連結されていることを特徴とする。照明表示部は、表示パネルの色種を同一の色にするため、使用する照明手段は複数個連結して同一のものを使用し、同一配線で行われる。使用する照明手段にＬＥＤを用いる場合、ＬＥＤがア−スを除いて単線のものと複線のものとがあり、単線のものは電圧及び極性を変えて照明表示部の照明手段に電送するが、ここでは複線のものを用い、１個のＬＥＤについて複線の入力端子があり、配線も複数となり配線の量が多くなるが、現状では誤差動を少なく鮮明に表示できる。
【発明の効果】
【０００９】
１）本発明の請求項１の色別表示装置は、自動車の場合、走行速度及び車内状態を離れた位置の他人にも知らせるものであり、走行速度は、主に色種や点滅等により知らせ、車内環境は、リヤウインド及びフロントウインド等に取付た表示パネルにより知らせるものである。更に、ナンバ−プレ−トにも照明を当てるもので、照明の色種を変化させることにより、離れた位置から他人が自動車の速度や自動車に同乗している高齢者（特に、介護を受けている者）、障害者、幼児等の状態を知ることができるものであり、ナンバ−プレ−トに色別に照明を照射し、ナンバ−プレ−トの使命を果たしながら外部の者が離れた位置からも自動車の速度を知ることができる。昼間の場合もあり、諸般の事情によりナンバ−プレ−トへの照射が困難な場合は、リヤウインド及びフロントウインド等に取り付けた表示パネルにより知らせるもので、例えば、「被介護者移送中」又は「病人乗車中」等の文字列を、レ−ザ加工により、複層に必要事項を内部描画された表示パネルを設置して置き、異常のない場合は、「速度遵守」と表示し、自動車の速度に応じて表示パネルに照射する照明の色種を変化させることにより、離れた場所の他人からも自動車の速度や車内の状態を知ることができ、交通安全に役立てるものである。特に、内部描画された表示パネルの使用で、交通違反のない低速で走行している昼間では、通常、照明の照射を必要とし
ていないため、複数の内部描画があっても表示パネルが殆ど透明であることから、ウインドの視野を妨げることは在り得えない。前述の「離れた場所の他人からも知ることができる」という方法は、自動車及びその他の乗り物とは限らず、諸種の回転体を主軸としている機器の総てに通用するものである。
【００１０】
２）また、請求項２の発明は、外部の回転体の回転数に応じて複数個の開閉器の何れか
を選択して回路を閉じることから、現在、市販されている自動車及びその他の回転体に於
いて、走行状態を示す速度計の殆どはデジタル化されており、走行速度を数値化されてい
るため容易に本発明の色別表示装置に接続ができ、安価な費用で速度の表示及び維持が可能である。回転体又は速度計から速度の信号をコンピュ−タに電送すると、コンピュ−タは受信した電送信号を解析し、何れか１個の開閉器の回路を閉じ、表示部に送り電送信号の内容に従い全照明手段が同色で点灯するものであり一様に群なく表示が可能である。表示パネルに於ける色別点灯について、例えば、開閉器の１箇所のみ回路を閉じると赤、緑、黄の何れか１色が点灯するのであるが、紫を点灯したい場合は赤と緑の２個の開閉器を閉じ、赤、緑、黄以外の色種を点灯することができ、電圧切替部とコンピュ−タによる調節により色種を選沢し、色種の合成により更なる色種を得ることができる。また、コンピュ−タによりコントロ−ルすることにより、任意の色彩をも表示パネルに表出することができる。また、自動車の場合、ブル−キやストップをするときは、赤を点灯するが、事故、故障、事件の際は、車内のリヤウインド、あるいは、フロントウインドの表示パネル、及び、ナンバ−プレ−トの照明を赤で切替の早い点滅で、周囲の人達に知らせるのである。
【００１１】
３）また、請求項３の発明は、表示部において、複数個の照明手段により１体の表示パネルを照射するもので、照明手段１個中に複数色の発光体を設置されているため、開閉部よりの電送内容により色別に発光するものであるから、現在のところ、表示パネルの色が安定しており、単線のものに比較して複線の方が誤差動が少ない。また、表示パネルは、自動車の場合、ナンバ−プレ−トに照明を照射するため、誰もが離れた位置から視野に入るもので、大まかに速度を知るには最適な位置といえる。諸般の事情からナンバ−プレ−トへの照射が困難な場合は、リヤウインド及びフロントウインド等に、自動車の運行安全上適当な文字、及び、介護を受けている人、あるいは、病人、又は、幼児を同乗させている等の車内状態を表示パネルにより表示できるため、速度に応じた数値、あるいは、車内状態を照明により色別に照射するすることにより、離れた場所の他人からも自動車の速度や車内状態を知ることができ、交通安全に大いに役立つものである。
【００１２】
また、自動車に限らず、船舶等に於いても本色別表示装置を使用することにより、他船の航行速度や船内状態を知ることにより、自船が他船に接近する距離の測定や船内状態を知ることができれば、海難事故の防止や安全に役立つことができる。更に、風力発電及び風速計に本色別表示装置を用いることにより、風速に対する意識が高まるばかりか、風力発電の発電能力の確認も容易であり、風力発電利用の意識も高まり、風力発電の利用も多くなるものと考えられる。色別表示装置を回転体に設置することは、回転体を持つ機器の安全と意識の向上にも役立てることができる。
【発明を実施するための最良の形態】
【００１３】
本発明の色別表示装置は、乗物等の走行速度及び風速計の風速等を離れた位置の他人に知らせるものであり、回転する速度を段階別に色分けし、更に、ブレ−キ、ストップあるいは、状態表示（車内の状態、事故、故障、事件）をするものであって、電圧切替部と、回転数及び速度に応じて電圧切替部に送信指令するコンピュ−タと電圧切替部からの電送による照明表示部の照明により表示パネルを照射するもので、表示パネルが自動車等の回転体の回転数又は速度の段階により、表示パネルが色別に変化するものであり、詳細な説明を図面を参照して詳述する。
【実施例１】
【００１４】
以下、本発明の色別表示装置１の実施例について説明する。図１は、電圧切替部２内に開閉部４があり、開閉部４は数個の開閉器５で回路を開閉しており、開閉器５はコンピュ−タＡ３ａと外部の回転体１０の回転数又は速度計の速度数のデジタル等の配線に連結している。開閉部４は、コンピュ−タＡ３ａにより予め設定された回転数又は速度数の段階に応じて、回転体１０の回転数又は速度数に応じて当該開閉器５を選択し回路を開閉し、前記開閉部４に於いて設定された電圧又は極性を、前述のコンピュ−タＡ３ａが選定して閉じた回路の電圧又は極性を、照明表示部７の照明手段６に電送し、各照明手段６が同一の色種で表示パネル８を照射するものである。また、主に手動で切替えるブレ−キ、ストップ等回転体以外の入力は、各種入力１１によりコンピュ−タＡ３ａに連結する。更に、車内の状態を外部に知らせるための表示、例えば、介護を要する高齢者の移送や乗車、あるいは、病人の移送を行っているような場合は、明確な表示により外部に伝える必要があり、手動によりコンピュ−タＢ３ｂに入力し、開閉部４からの色種に合わせ、コンピュ−タＢ３ｂ（手動でも可）を経て表示パネルを８に連結されるが、表示パネルを８は、アクリル板又はガラス板に表示パネル文字Ａ８ａと表示パネル文字Ｂ８ｂと表示パネル文字Ｃ８ｃ等、内部描画されている文字列に同一の色種で照明手段６により照射することにより、特定の文字列、例えば、「被介護者移送中」が浮かびあがるというものである。図１に於いて、表示パネル文字Ｄ８ｄのみが大きく別記されているが、ナンバ−プレ−ト１４を表示パネル８として使用した場合であり、取付け位置が異なるため別記したものである。
【００１５】
図２は、電源９から開閉部４へ電圧を調整して電送されるが、開閉部４の開閉器５から照明表示部７の照明手段６に電送の方法として、照明手段６が（ア−ス回路を除いて）色別に端子が数個設定されているため、照明手段６の端子と開閉器５の端子の数を一致するように配線した図である。個々の照明手段６は、受けた電圧により、赤、緑、黄色の何れかを点灯し、同一の電圧であれば同一の色種で照射する。また開閉部４に於いて、２個の開閉器５を閉じるべく選択した場合は、合成された色が照明手段６により、表示パネル８に表示される。例えば、赤と緑を同時に選択した場合は紫色の照明を照射し、赤と黄を選択した場合は橙を照射し、黄と緑を選択した場合は青を照射するばかりか、コンピュ−タＡ３ａが２個をあるいは電圧を調整して選択した場合は、多彩の色彩を照射することができる。また、数個の端子を持っている図２の照明手段６は、表示パネル８に照射する場合、複数個連結して同一のものを使用している。
【００１６】
図３は、色別表示装置１の照明表示部７を自動車１５のリヤウインド１３に取り付けたもので、表示内容は特に図示してないが、交通安全上必要な文字を記入することにより、更に、効果を狙うことができる。また、ナンバ−プレ−ト１４に色別表示装置１の照明表示部７を取り付けることにより、ナンバ−プレ−ト１４に注意力が高まり、視認の意識が更なる効果を期待できる。また、フロントウインド１２（図示されてないが）には、運転者自身が確認のために表示は必要である。
【００１７】
図４は、パネルの内部描画したもので、内部描画とは、透明なアクリル板又はガラス板にレ−ザ−の照射（特開２００３−２５０６２３号参照）により、透明な板の内部に痕を付けるように文字や絵柄を描くもので、光を照射すると照射した光の色が明視でき、１枚の表示パネル（アクリル板）８に１０数種の文字や絵柄を描き、表示パネル文字Ａ８ａのみに光を照射すると表示パネル文字Ａ８ａの「被介護者移送中」のみが明視できる。
【００１８】
図５は、前述の表示パネルＡ８ａと同一の方法で、表示パネル８に表示パネルＢ８ｂを内部描画し、表示パネルＢ８ｂに照明を照射すると「被介護者乗車中」の文字がクッキリと浮かびあがり、表示パネルＡ８ａの「被介護者移送中」の文字は、全く無視されていしまう。
【００１９】
図６は、前述の表示パネル文字Ｂ８ｂと同一の方法で、表示パネル８に表示パネル文字Ｃ８ｃを内部描画するもので、表示パネル文字Ｃ８ｃに照明を照射すると「法定速度遵守」の文字が明視でき、表示パネル文字Ａ８ａの「被介護者移送中」や、表示パネル文字Ｂ８ｂの「被介護者乗車中」の文字は全く無視され、内部描画を１０数枚重ねても明視野で文字等を確認することができる。
【００２０】
図７は、前記表示パネル文字８の平面図であり、内部に描画されている表示パネル文字Ａ８ａ、表示パネル文字Ｂ８ｂ、表示パネル文字Ｃ８ｃを上から見ることができる。
【産業上の利用可能性】
【００２１】
本発明の色別表示装置は、安価で操作が容易であり、設置費及び維持費が経済的な表示装置として利用できるため、自動車、船舶、航空機等の乗物の速度に限らず、風速測定、発電装置の出力、河川の流速等々、産業界に大いに役立つものといえる。
【図面の簡単な説明】
【００２２】
【図１】色別表示装置の電圧切替部門と表示部門とを単線で配線する構成図。
【図２】色別表示装置の電圧切替部門と表示部門とを複線で配線する構成図。
【図３】自動車に表示パネルを取付けた状態の見取図。
【図４】表示パネルに「被介護者移送中」の文字を内部描画した正面図。
【図５】表示パネルに「被介護者乗車中」の文字を内部描画した正面図。
【図６】表示パネルに「法定速度遵守」の文字を内部描画した正面図。
【図７】表示パネルに複数種の内部描画を施した平面図。
【符号の説明】
【００２３】
１    色別表示装置
２    電圧切替部
３ａ  コンピュ−タＡ
３ｂ  コンピュ−タＢ
４    開閉部
５    開閉器
６    照明手段
７    照明表示部
８    表示パネル
８ａ  表示パネル文字Ａ
８ｂ  表示パネル文字Ｂ
８ｃ  表示パネル文字Ｃ
８ｄ  表示パネル文字Ｄ
９    電源
１０  回転体
１１  各種入力
１２  フロントウインド
１３  リヤウインド
１４  ナンバ−プレ−ト
１５  自動車
【図１】
2005156949.tif 000003
【図２】
2005156949.tif 000004
【図３】
2005156949.tif 000005
【図４】
2005156949.tif 000006
【図５】
2005156949.tif 000007
【図６】
2005156949.tif 000008
【図７】
2005156949.tif 000009